(57)【特許請求の範囲】
【請求項１】
家具類の天板と天井面間に配置される地震時における家具類の転倒、移動を防止する家具類の支持具において、家具類の天板及び天井面にそれぞれ固定される固定部と、該固定部の間を結ぶ湾曲部とを備えた棒状の部材からなる支持具４個を、各支持具の湾曲部を背中合わせに等角度間隔に並べて配置し、地震時に湾曲部が変形することによって、家具類の揺れを減衰させることを特徴とする家具類の支持具。
【発明の詳細な説明】
【技術分野】
【０００１】
本発明は、地震時における家具類の転倒や移動を防止するために使用される家具類の支持具に関するものである。
【背景技術】
【０００２】
近年、地震の多発により防災意識が高まり、例えば、家屋内においては、室内に置かれた箪笥、食器戸棚、書棚等の家具類は大きな地震が発生しても、転倒したり、移動することのないように家具類の天板と天井面間を支承する家具類の支持具を使用することが多くなってきている。
【０００３】
ところで、この種の家具類の支持具は、種々提案されているが、その一例として、円筒状の細長い外筒体と内筒体の二重支持筒体から形成され、ロック機構により内筒体の伸長を調節自在とするとともに、外筒体の下端部と内筒体の上端部にそれぞれフランジ部が嵌着された突っ張り棒方式のものが汎用されている。
【０００４】
この家具類の支持具は、例えば、箪笥の天板に下部フランジを置き、ロック機構を緩めて天板と天井面の間の高さに合わせて伸縮自在な内筒体の長さを調節して、上部フランジを天井面に当接させ、ロック機構を締めて支持するものであった。
【先行技術文献】
【特許文献】
【０００５】
【特許文献１】特開平９−２７６０６１号公報
【発明の概要】
【発明が解決しようとする課題】
【０００６】
ところで、従来の家具類の支持具は、家具類の転倒や移動を防止するために一定の効果は奏するものの、剛構造によって家具類の転倒や移動を防止するものであった。
【０００７】
本発明は、従来の家具類の支持具とは異なる柔軟な構造によって、地震時における家具類の揺れを減衰させることができる家具類の支持具を提供することを目的とする。
【課題を解決するための手段】
【０００８】
上記目的を達成するため、本発明の家具類の支持具は、家具類の天板と天井面間に配置される地震時における家具類の転倒、移動を防止する家具類の支持具において、前記支持具が、家具類の天板及び天井面にそれぞれ固定される固定部と、該固定部の間を結ぶ湾曲部とからなり、地震時に湾曲部が変形することによって、家具類の揺れを減衰させることを特徴とする。
【０００９】
この場合において、前記支持具が、板状の部材からなるようにすることができる。
【００１０】
また、前記支持具が、棒状の部材からなるようにすることができる。
【発明の効果】
【００１１】
本発明の家具類の支持具によれば、支持具が、家具類の天板及び天井面にそれぞれ固定される固定部と、該固定部の間を結ぶ湾曲部とからなる柔軟な構造をし、地震時に、湾曲部が変形することによって、家具類の転倒や移動を防止するとともに、家具類の揺れを減衰させることができる。
【図面の簡単な説明】
【００１２】
【図１】本発明の家具類の支持具の第１実施例を示し、（ａ）は正面図、（ｂ）は側面図である。
【図２】本発明の家具類の支持具の第２実施例を示し、（ａ）は平面図、（ｂ）は正面図である。
【発明を実施するための形態】
【００１３】
以下、本発明の家具類の支持具の実施の形態を、図面に基づいて説明する。
【実施例１】
【００１４】
図１に、本発明の家具類の支持具の第１実施例を示す。
この家具類の支持具１は、家具類Ｆの天板と天井面Ｃ間に配置される地震時における家具類の転倒、移動を防止するもので、支持具１が板状の部材からなり、家具類Ｆの天板及び天井面Ｃにそれぞれ固定される固定部１１、１１と、固定部１１、１１の間を結ぶ湾曲部１２とからなり、地震時に湾曲部１２が変形することによって、家具類Ｆの揺れを減衰させるようにしている。
【００１５】
この場合において、板状の部材からなる支持具１は、鉄、ステンレススチール、アルミニウム等の金属製や合成樹脂（ＦＲＰを含む。）製のほか、竹製のものからなり、対象となる家具類の荷重を支持できる強度を備えたもの（要求される強度に合わせて、板状の部材の板厚を設定するようにする。）を用いるようにする。
特に、金属製のものは、強度（支持力）が大きいため好適に用いることができ、例えば、鋼等のばね性を備えたもの（弾性変形することによって家具類Ｆの揺れを減衰させることができる。）や、低降伏点のもの（弾性変形に加えて、塑性変形することによって家具類Ｆの揺れを減衰させたり、吸収することができる。）を選択的に用いることができる。
【００１６】
固定部１１、１１は、湾曲部１２と一体の部材（又は別部材）からなり、家具類Ｆの天板及び天井面Ｃに、接着剤、粘着剤、釘、ビス等によって、それぞれ固定されるほか、ゴム板等の高い摩擦係数を有する材料を介在させることで実質的に固定されるようにすることができる。
【００１７】
固定部１１、１１の間を結ぶ湾曲部１２は、本実施例においては、略Ｕ字状をなしているが、湾曲形状であれば、その形状は特に限定されるものでない。
【００１８】
この家具類の支持具１は、本実施例においては、家具類Ｆの天板と天井面Ｃ間に、２個並べて配置するようにしているが、例えば、４個を２個ずつ背中合わせに並べて配置することもでき、その配置方法は特に限定されるものでない。
【００１９】
この家具類の支持具１によれば、支持具１が、家具類Ｆの天板及び天井面Ｃにそれぞれ固定される固定部１１、１１と、固定部１１、１１の間を結ぶ湾曲部１２とからなる柔軟な構造をし、地震時に、湾曲部１２が変形することによって、家具類Ｆの転倒や移動を防止するとともに、家具類Ｆの揺れを減衰させることができる。
【実施例２】
【００２０】
図２に、本発明の家具類の支持具の第２実施例を示す。
この家具類の支持具２は、家具類Ｆの天板と天井面Ｃ間に配置される地震時における家具類の転倒、移動を防止するもので、支持具２が棒状の部材からなり、家具類Ｆの天板及び天井面Ｃにそれぞれ固定される固定部２１、２１と、固定部２１、２１の間を結ぶ湾曲部２２とからなり、地震時に湾曲部２２が変形することによって、家具類Ｆの揺れを減衰させるようにしている。
【００２１】
この場合において、棒状の部材からなる支持具２は、鉄、ステンレススチール、アルミニウム等の金属製や合成樹脂（ＦＲＰを含む。）製のほか、竹製のものからなり、対象となる家具類の荷重を支持できる強度を備えたもの（要求される強度に合わせて、棒状の部材の横断面の面積や形状（丸形、角形等）を設定するようにする。）を用いるようにする。
特に、金属製のものは、強度（支持力）が大きいため好適に用いることができ、例えば、鋼等のばね性を備えたもの（弾性変形することによって家具類Ｆの揺れを減衰させることができる。）や、低降伏点のもの（弾性変形に加えて、塑性変形することによって家具類Ｆの揺れを減衰させたり、吸収することができる。）を選択的に用いることができる。
【００２２】
固定部２１、２１は、湾曲部２２と別部材（又は一体の部材）からなり、家具類Ｆの天板及び天井面Ｃに、接着剤、粘着剤、釘、ビス等によって、それぞれ固定されるほか、ゴム板等の高い摩擦係数を有する材料を介在させることで実質的に固定されるようにすることができる。
【００２３】
固定部２１、２１の間を結ぶ湾曲部２２は、本実施例においては、なだらかな湾曲形状をなしているが、湾曲形状であれば、略Ｕ字状とする等、その形状は特に限定されるものでない。
【００２４】
この家具類の支持具２は、本実施例においては、家具類Ｆの天板と天井面Ｃ間に、４個を背中合わせに並べて配置するようにしているが、例えば、２個又は３個を背中合わせに並べて配置することもでき、その配置方法は特に限定されるものでない。
【００２５】
この家具類の支持具２によれば、支持具２が、家具類Ｆの天板及び天井面Ｃにそれぞれ固定される固定部２１、２１と、固定部２１、２１の間を結ぶ湾曲部２２とからなる柔軟な構造をし、地震時に、湾曲部２２が変形することによって、家具類Ｆの転倒や移動を防止するとともに、家具類Ｆの揺れを減衰させることができる。
【００２６】
以上、本発明の家具類の支持具について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２７】
本発明の家具類の支持具は、柔軟な構造によって、地震時における家具類の揺れを減衰させることができるという特性を有していることから、地震時における家具類の転倒や移動を防止するために使用される家具類の支持具の用途に好適に用いることができる。
【符号の説明】
【００２８】
Ｃ  天井面
Ｆ  家具類
１  支持具
１１  固定部
１２  湾曲部
２  支持具
２１  固定部
２２  湾曲部
【図１】
0006982225.tif 000002
【図２】
0006982225.tif 000003